(57)【要約】【課題】本発明は建築、構築物の外装を形成するエンボス加工金属外装材に関するものである。【解決手段】エンボス加工金属板１と裏面材２間に芯材３を形成し、エンボス加工金属板１の上下端部に雄雌連結構造を形成した長尺状のエンボス加工金属外装材Ａにおいて、雄雌連結構造により形成された横目地部Ｙの断面形状と略同一断面形状のダミー目地ＤＭをエンボス加工金属板１の化粧面６に形成したエンボス加工金属外装材Ａである。【選択図】図１
2014190020.tif 000002
【特許請求の範囲】
【請求項１】
エンボス加工金属板と裏面材間に芯材を形成し、エンボス加工金属板の上下端部に雄雌連結構造を形成した長尺状のエンボス加工金属外装材において、雄雌連結構造により形成された横目地部の断面形状と略同一断面形状のダミー目地をエンボス加工金属板の化粧面に形成したことを特徴とするエンボス加工金属外装材。
【請求項２】
ダミー目地が、連続状および／または非連続状から形成されていることを特徴とする請求項１記載のエンボス加工金属外装材。
【発明の詳細な説明】
【技術分野】
【０００１】
本発明は建築、構築物の外装を形成するエンボス加工金属外装材に関するものである。
【背景技術】
【０００２】
一般に、金属製板材をロール成形、プレス成形等して加工し、化粧面に凹凸を形成した外装材は数多く上市されている。（例えば、特許文献１参照）。
【先行技術文献】
【特許文献】
【０００３】
【特許文献１】特開平１１−０３６５５５号公報
【発明の概要】
【発明が解決しようとする課題】
【０００４】
特許文献１は「サイディングボード」に係り、接合後における連結溝４を平行溝１２と等しい深さに見えるようにして、接合部分が判別されにくくなるサイディングボードを提供することを課題とするものである。
【０００５】
しかしながら、特許文献１は、平行溝１２を複数本形成すると共に、サイディングボード間の連結溝４の幅と平行溝の１２の溝幅を等しく形成し、連結溝４が判別されにくくしたものであるが、このように形成したサイディングボードは単に等しい目地が複数本存在する、区画化された、横長の化粧面が単に積み重ねられた印象の、単調な外観になるものであった。
【課題を解決するための手段】
【０００６】
本発明はこのような欠点を解決するために、エンボス加工金属板と裏面材間に芯材を形成し、エンボス加工金属板の上下端部に雄雌連結構造を形成した長尺状のエンボス加工金属外装材において、雄雌連結構造により形成された横目地部の断面形状と略同一断面形状のダミー目地をエンボス加工金属板の化粧面に形成したエンボス加工金属外装材に関するものである。
【発明の効果】
【０００７】
本発明に係るエンボス加工金属外装材によれば、ダミー目地をエンボス加工金属外装材の連結目地と略同一形状に形成することにより、（１）連続状ダミー目地よりなるダミー目地は、一定間隔で形成される連結目地の位置を、ダミー目地を形成することにより判別不可能にし、自然な外観を醸し出すように形成出来る。（２）非連続状ダミー目地は化粧面に形成したブロック間に複数本形成することにより、ダミー目地、連結目地を目立たなくし、化粧面が区画化された横長の面により分割された印象にならない。等の特徴、効果がある。
【図面の簡単な説明】
【０００８】
【図１】本発明に係るエンボス加工金属外装材の代表例を示す断面図である。
【図２】本発明に係るエンボス加工金属外装材の代表例を示す部分拡大断面図である。
【図３】本発明に係るエンボス加工金属外装材の施工状態を示す断面図である。
【図４】本発明に係るエンボス加工金属外装材の代表例を示す正面図である。
【図５】本発明に係るエンボス加工金属外装材の代表例を示す正面図である。
【図６】本発明に係るエンボス加工金属外装材の代表例を示す端面図である。
【図７】本発明に係るエンボス加工金属外装材の代表例を示す部分拡大正面図である。
【図８】本発明に係るエンボス加工金属外装材の化粧面のブロックの代表例を示す部分端面図である。
【発明を実施するための形態】
【実施例】
【０００９】
以下に図面を用いて、本発明に係るエンボス加工金属外装材の一実施例について詳細に説明する。すなわち、図１（図４のａ−ａ線断面図）、図２（ａ）、（ｂ）は、エンボス加工金属板１と裏面材２で例えば合成樹脂発泡体からなる芯材３をサンドイッチしたエンボス加工金属外装材Ａを示す断面図であり、図３は施工状態を示す断面図、図４はエンボス加工金属外装材Ａの正面図である。なお、図１〜図４においては、エンボス加工金属板１へのエンボス加工による凹凸は図示していない。また、図５はエンボス加工金属外装材Ａの正面図、図６は図５のｂ−ｂ部端面図、図７はエンボス加工金属外装材Ａ部分拡大正面図、図８（ａ）〜（ｆ）はエンボス加工金属外装材Ａの化粧面６に形成したブロックＢ部分の拡大端面図である。また、αは躯体、βは固定具、γは連結部である。
【００１０】
エンボス加工金属外装材Ａの全体形状の一例としては図１〜図４に示すように、長尺で金属製の薄板からなるエンボス加工金属板１と裏面材２間に芯材３をサンドイッチし、幅方向の下端に形成した雄型連結部４、上端に形成した雌型連結部５とから形成し、化粧面６の下端には側壁７、上端には側壁８を形成したものである。
【００１１】
さらに詳説すると、雄型連結部４は化粧面６下端を裏面側に屈曲した側壁７と、側壁７の先端を上方へ突出した上面９と、上面９の先端を下方に屈曲した係合片１０と、上面９と係合片１０とからなる係合溝１１とから形成したものである。
【００１２】
雌型連結部５は化粧面６の上端を裏面側に屈曲した側壁８と、側壁８の先端を上方に屈曲した目地底面１２と、目地底面１２の先端を折り返し下方に突出した下面１３と、目地底面１２と下面１３とからなる嵌合片１４と、下面１３の先端を上方に屈曲して突出した固定面１５と、下面１３と固定面１５とから形成した嵌合溝１６とから形成したものである。なお、１７は防水性強化のために形成したパッキンである。
【００１３】
化粧面６には図７に示すように複数本の縦目地Ｔと横目地Ｙを形成し、複数段、複数列の大きさの異なる横長に形成した複数個のブロックＢにより形成するものである。
【００１４】
化粧面６に形成した複数のブロックＢは図１〜図８（ａ）〜（ｆ）に示すように、平面ブロック６ａ、曲面ブロック６ｂ、上傾斜ブロック６ｃ、下傾斜ブロック６ｄ、連続状ダミー目地６ｅと非連続状ダミー目地６ｆからなるダミー目地ＤＭ、粗目柄エンボスブロック６ｇ、細目柄エンボスブロック６ｈ、線状ブロック６ｉとから形成したものである。
【００１５】
平面ブロック６ａは図５〜図７、および図８（ａ）に示すように水平のブロックＢからなり、粗めのエンボスを形成した粗目柄エンボスブロック６ｇ、軽めのエンボスを形成した軽目柄エンボスブロック６ｈを形成することにより、陰影の違いにより多彩に見せることが出来るものである。
【００１６】
曲面ブロック６ｂは図５〜図７、および図８（ｂ）に示すように凹状のブロックＢからなり、エンボスは粒タイプを施し、アール形状の上部では影が発生し、下部は光を受けて反射し、コントラストのある陰影を作る。エンボスは粒タイプを施すことにより、曲面ブロック６ｂの特徴を損なわないようにしている。
【００１７】
上傾斜ブロック６ｃ、下傾斜ブロック６ｄは図５〜図７、および図８（ｃ）、（ｄ）に示すように上下方向に傾きを形成したブロックであり、上傾斜ブロック６ｃは傾斜を上に向けて形成することにより光を受けて反射し、下傾斜ブロック６ｄは傾斜を下に向けて形成することにより影を形成し、傾斜による陰影感を醸し出すものである。また、形成するエンボス形状は平面ブロック６ａよりも軽めに形成し、傾斜が作る陰影感を損なわないように形成したものである。
【００１８】
ダミー目地ＤＭは、図１、図５〜図７、および図８（ｅ）に示すように、連続状ダミー目地６ｅと非連続状ダミー目地６ｆよりなるものである。
【００１９】
連続状ダミー目地６ｅは図１、図５〜図７、および図８（ｅ）に示すように図では２本、エンボス加工金属板１の長手方向に沿って連続状に形成し、図８に示すようにエンボス加工金属外装材Ａを施工した際に形成される連結目地γと略同一形状に形成し、一定間隔で形成される連結目地γの位置を連続状ダミー目地６ｅを形成することにより判別不可能にし、自然な外観を醸し出すように形成したものである。
【００２０】
連続状ダミー目地６ｅは、図では２本形成しているが、本数、連続状ダミー目地ＤＭ間の間隔は任意であり、化粧面６のエンボス加工部ａのエンボス模様等に応じて形成するものである。
【００２１】
非連続状ダミー目地６ｆは、図１、図５〜図７、および図８（ｅ）に示すように、連続状ダミー目地６ｅ、連結目地γ間の化粧面６に形成したブロックＢ間に複数本形成することにより、連続状ダミー目地６ｅ、連結目地γを目立たなくし、化粧面６が区画化された横長の面により分割された印象にならないように形成するものである。
【００２２】
線状ブロック６ｉは図５〜図７、および図８（ｆ）に示すように面状と凸状の２種類からなり、エンボス加工は形成しないことにより光を受けて明度が高くなり、かつブロックＢの境界部分では光の反射と強い陰影により線状ブロック６ｉのラインを明確化し、シャープな外観を呈するものである。
【００２３】
エンボス加工金属板１と裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をエンボスロール成形、あるいはプレス成形したものである。また、裏面材２としてはアルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものでも良いものである。
【００２４】
芯材３は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、エンボス加工金属板１、もしくは裏面材２の裏面側に吐出し、加熱して反応・発泡・硬化させてエンボス加工金属板１と裏面材２を一体に形成するものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００２５】
エンボス加工金属外装材Ａ同士は、係合片１０が嵌合溝１６へ、係合溝１１には嵌合片１４が連結されることにより、図３に示すように連結されるものである。
【００２６】
エンボス加工部ａのエンボス模様としては、図に示すエンボス模様の他に、リシン模様、メロン模様、スタッコ模様、ニシキ模様、ニューメロン模様、キャスト模様、スジメ模様（縦、横、斜め）、ディンプル模様、等からなるものである。
【符号の説明】
【００２７】
α  躯体
β  固定具
γ  連結目地
Ａ  エンボス加工金属外装材
Ｂ  ブロック
Ｔ  縦目地
Ｙ  横目地
ａ  エンボス加工部
１  エンボス加工金属板
２  裏面材
３  芯材
４  雄型連結部
５  雌型連結部
６  化粧面
６ａ  平面ブロック
６ｂ  凹面ブロック
６ｃ  上傾斜ブロック
６ｄ  下傾斜ブロック
ＤＭ  ダミー目地
６ｅ  連続状ダミー目地
６ｆ  非連続状ダミー目地
６ｇ  粗目柄エンボスブロック
６ｈ  軽目柄エンボスブロック
６ｉ  線状ブロック
７  側壁
８  側壁
９  上面
１０  係合片
１１  係合溝
１２  目地底面
１３  下面
１４  嵌合片
１５  固定面
１６  嵌合溝
１７  パッキン
【図１】
2014190020.tif 000003
【図２】
2014190020.tif 000004
【図３】
2014190020.tif 000005
【図４】
2014190020.tif 000006
【図８】
2014190020.tif 000007
【図５】
2014190020.tif 000008
【図６】
2014190020.tif 000009
【図７】
2014190020.tif 000010